(57)【要約】【課題】  コストダウンを図ることができると共に、使用部材の保管や運搬をコンパクトに行える土のうの作製方法を提供する。【解決手段】  複数の袋保持缶２を開口部２ａを上に向けた状態で互いに間隔を開けて並置し、土のう袋３を袋保持缶２内に投入口３ａを上に向けた状態でそれぞれ挿入し、土のう袋３における投入口３ａの周囲の開口端部３ｂを袋保持缶２における開口部２ａの周囲の開口端部２ｂで外側下方へ折り返して係止させ、投入枠４を、土のう袋３を介して複数の袋保持缶２上に単位板４ｂ，４ｃの面方向が水平方向となりかつ投入孔４ａが袋保持缶２の開口部２ａの上方にそれぞれ位置するように載置し、投入孔４ａを通して中詰め材５を土のう袋３内にそれぞれ投入・充填し、投入枠４を除去した後、土のう袋３の投入口３ａをそれぞれ閉じることによって、複数の土のう１を作製する。【選択図】      図３
2005133364.tif 000002
【特許請求の範囲】
【請求項１】
天部に開口部を有しかつ上方に向かって拡開した複数の袋保持缶を前記開口部を上に向けた状態で互いに間隔を開けて並置し、
開閉自在な投入口を有する土のう袋を前記袋保持缶内に前記投入口を上に向けた状態でそれぞれ挿入し、
前記土のう袋における投入口の周囲の開口端部を前記袋保持缶における開口部の周囲の開口端部で外側下方へ折り返して係止させ、
幅方向に並べられた複数の単位板とこれら複数の単位板を着脱自在に連結一体化した少なくとも１つの連結材とを備えかつ前記単位板同士の継ぎ目に複数の投入孔が互いに間隔を開けて形成された投入枠を、前記土のう袋を介して前記複数の袋保持缶上に前記単位板の面方向が水平方向となりかつ前記投入孔が前記袋保持缶の開口部の上方にそれぞれ位置するように載置し、
前記投入孔を通して中詰め材を前記土のう袋内にそれぞれ投入・充填し、
前記投入枠を除去した後、
前記土のう袋の投入口をそれぞれ閉じることによって、
複数の土のうを作製することを特徴とする土のうの作製方法。
【請求項２】
前記単位板は下面に長手方向に沿って補強材を延設したものである請求項１記載の土のうの作製方法。
【請求項３】
前記袋保持缶は内部に底上げ材を収容したものである請求項１又は２記載の土のうの作製方法。
【発明の詳細な説明】
【技術分野】
【０００１】
本発明は、複数の土のうを一度に作製する際に使用される土のうの作製方法に関するものである。
【背景技術】
【０００２】
従来のこの種の技術としては、支持枠に多数の土のう袋の開口部を上向きに開口させ平面的に近接させて配置し、各土のう袋の開口部が開口状態でかつ略単一平面上で開口状態を保つように開口枠に支持し、前記開口部に対し上方より土類を投入・充填した後、前記支持枠を残置させたまま前記土のう袋を上方に取り出して行う土のうの製造方法等が知られている（例えば、特許文献１参照。）。
【特許文献１】特許第３０００４３４号公報（第１−５頁，図７，図１０，図１１等）
【発明の開示】
【発明が解決しようとする課題】
【０００３】
上記のような方法で使用される支持枠は外枠、縦横の複数の仕切板、及び仕切板の下端に設置される底部等を必要とするので、コスト高であるという問題点がある。また、このような支持枠や、各土のう袋の開口部間の間隙を覆うように前記開口部上に配置される土受けカバーは、保管時や運搬時にかさばるという問題点がある。
【０００４】
本発明は、以上のような問題点に鑑みてなされたものであり、コストダウンを図ることができると共に、使用部材の保管や運搬をコンパクトに行える土のうの作製方法を提供することを目的とする。
【課題を解決するための手段】
【０００５】
上記目的を達成するための請求項１の発明は、天部に開口部を有しかつ上方に向かって拡開した複数の袋保持缶を前記開口部を上に向けた状態で互いに間隔を開けて並置し、開閉自在な投入口を有する土のう袋を前記袋保持缶内に前記投入口を上に向けた状態でそれぞれ挿入し、前記土のう袋における投入口の周囲の開口端部を前記袋保持缶における開口部の周囲の開口端部で外側下方へ折り返して係止させ、幅方向に並べられた複数の単位板とこれら複数の単位板を着脱自在に連結一体化した少なくとも１つの連結材とを備えかつ前記単位板同士の継ぎ目に複数の投入孔が互いに間隔を開けて形成された投入枠を、前記土のう袋を介して前記複数の袋保持缶上に前記単位板の面方向が水平方向となりかつ前記投入孔が前記袋保持缶の開口部の上方にそれぞれ位置するように載置し、前記投入孔を通して中詰め材を前記土のう袋内にそれぞれ投入・充填し、前記投入枠を除去した後、前記土のう袋の投入口をそれぞれ閉じることによって、複数の土のうを作製するものである。
【０００６】
請求項２の発明においては、前記単位板は下面に長手方向に沿って補強材を延設したものである。
【０００７】
請求項３の発明においては、前記袋保持缶は内部に底上げ材を収容したものである。
【発明の効果】
【０００８】
請求項１の発明によれば、使用される投入枠や袋保持缶は簡単な構成で比較的安価であるので、複数の土のうの作製コストを低減化することができる。また、袋保持缶は上方に向かって拡開しているので、土のうを上方に取り出し易いと共に、下方の袋保持缶内に上方の袋保持缶を挿入して積み重ねることができる。そのため、複数の袋保持缶を積み重ねておけば、袋保持缶の保管や運搬をコンパクトに行うことができる。更に、投入枠は単位板と連結材とに分解できるので、投入枠の保管や運搬もコンパクトに行うことができる。
【０００９】
請求項２の発明によれば、単位板の下面にその長手方向に沿って補強材を延設しているので、単位板を補強できると共に、中詰め材の投入・充填作業時に補強材が邪魔になることもない。
【００１０】
請求項３の発明によれば、袋保持缶の内部に底上げ材を収容しているので、中詰め材の充填量を適当な量に調整することができる。
【発明を実施するための最良の形態】
【００１１】
以下、本発明の実施形態を図面に基づいて説明する。
本実施形態に係る土のう１の作製方法は、図１〜図６に示すように、複数の袋保持缶２をその天部の開口部２ａを上に向けた状態で互いに間隔を開けて並置し、土のう袋３をその投入口３ａを上に向けた状態で袋保持缶２内にそれぞれ挿入し、土のう袋３における投入口３ａの周囲の開口端部３ｂを袋保持缶２における開口部２ａの周囲の開口端部２ｂで外側下方へ折り返して係止させ、投入枠４を土のう袋３を介して複数の袋保持缶２上に投入枠４の単位板４ｂ，４ｃの面方向が水平方向となりかつ投入孔４ａが袋保持缶２の開口部２ａの上方にそれぞれ位置するように載置し、投入孔４ａを通して中詰め材５を土のう袋３内にそれぞれ投入・充填し、投入枠４を除去した後、土のう袋３の投入口３ａをそれぞれ閉じることによって、複数の土のう１を作製するものである。
【００１２】
土のう１は、図５のように土のう袋３内に中詰め材５を投入・充填し、図６のように土のう袋３の投入口３ａを閉じることによって作製される。中詰め材５としては、クラッシャラン、再生クラッシャラン、砕石、まさ土等の土等が挙げられる。土には、砂質土や粘性土等の現地発生土（建築現場等における掘削で発生した土）も含まれる。
【００１３】
袋保持缶２は、図４に示すように、天部に開口部２ａを有し、かつ、上方に向かって拡開したものである。この袋保持缶２の横断面は、図１に示すように、例えば円環状とすることができる。このような横断面が円環状の袋保持缶２としては、例えば開口部２ａの直径が数十ｃｍ、高さが数十ｃｍのペール缶等が挙げられる。なお、袋保持缶２の横断面形状は円環状に限定されるものではなく、その他に例えば、矩形環状、多角形環状、楕円環状等であってもよい。また、袋保持缶２における開口部２ａの周囲の開口端部２ｂには、運搬し易いように、円弧状又は半円状等の把手の両端をそれぞれ回動自在に固定しておいてもよい。
【００１４】
上記のように構成された袋保持缶２は上方に向かって拡開しているので、図７に示すように、下方の袋保持缶２内に上方の袋保持缶２を挿入して積み重ねることができる。そのため、複数の袋保持缶２を積み重ねておけば、保管や運搬をコンパクトに行えるという利点がある。
【００１５】
土のう袋３は、図６に示すように、巾着状に形成されており、開閉自在な投入口３ａを有している。投入口３ａの周囲の開口端部３ｂには口紐６が設けられており、この口紐６を引き締めたりゆるめたりすることによって投入口３ａを開閉できるようになっている。なお、土のう袋３の材質や形状等は特に限定されるものではなく、開閉自在な投入口３ａを有する各種のものを使用できる。
【００１６】
投入枠４は、図１〜図３、図８、及び図９に示すように、例えば、細長い長方形状に形成されかつ幅方向に並べられた２つの単位板４ｂ及び３つの単位板４ｃと、これら５つの単位板４ｂ，４ｃを着脱自在に連結一体化した横断面が長方形の棒状に形成された２つの連結材４ｄとを備えており、単位板４ｂと単位板４ｃとの継ぎ目や単位板４ｃ同士の継ぎ目に正方形状の複数の投入孔４ａが互いに間隔を開けて形成されている。投入孔４ａは、単位板４ｂ，４ｃの側縁に互いに間隔を開けて設けられた例えばＶ字状の複数の切欠部４ｅ同士を合わせることにより形成される。なお、投入枠４においては、一方の側縁にのみ複数の切欠部４ｅを設けた単位板４ｂの代わりに、両方の側縁に複数の切欠部４ｅをそれぞれ設けた単位板４ｃを使用することもできる。単位板４ｂ，４ｃの数やサイズ等は特に限定されるものではなく、並置する袋保持缶２の数やサイズ等に応じて適宜変更可能である。単位板４ｂ，４ｃや連結材４ｄの材質としては、木材の他、合成樹脂等が挙げられる。
【００１７】
ここで、本実施形態のように、単位板４ｂ，４ｃの下面にその長手方向に沿って横断面が正方形の棒状の補強材７を延設しておけば、単位板４ｂ，４ｃを補強できると共に、中詰め材５の投入・充填作業時に補強材７が邪魔になることもないという利点がある。補強材７の材質としては、木材の他、合成樹脂等が挙げられる。なお、補強材７の横断面形状は正方形状に限定されるものではなく、その他に例えば、長方形状や多角形状等であってもよい。
【００１８】
連結材４ｄは、単位板４ｂ，４ｃの長手方向の２つの端部上に面方向が単位板４ｂ，４ｃの面方向に対して直角となりかつ長手方向が単位板４ｂ，４ｃの幅方向に対して平行となるようにしてビス・釘等の止着部材によりそれぞれ固定されており、複数の単位板４ｂ，４ｃを着脱自在に連結一体化している。複数の単位板４ｂ，４ｃを連結一体化するには、例えば、水平にかつ対向して配置された２つの連結材４ｄ上に、図９のようにして連結材４ｄの長手方向（単位板４ｂ，４ｃの幅方向）に沿って複数の単位板４ｂ，４ｃを補強材７を上に向けた状態で並べ、各単位板４ｂ，４ｃの長手方向の端部を止着部材により連結材４ｄにそれぞれ固定すればよい。投入枠４を単位板４ｂ，４ｃと連結材４ｄとに分解するには、止着部材を取り外せばよい。このように構成された投入枠４は単位板４ｂ，４ｃと連結材４ｄとに分解できるので、保管や運搬をコンパクトに行えるという利点がある。なお、連結材４ｄの数、サイズ、固定位置等は特に限定されるものではなく、少なくとも１つの連結材４ｄを複数の単位板４ｂ，４ｃの適宜の位置に固定することができる。また、補強材７は、複数の単位板４ｂ，４ｃを連結材４ｄで連結一体化してから固定してもよい。
【００１９】
土のう１を作製するには、図１〜図４に示すように、まず、複数の袋保持缶２を開口部２ａを上に向けた状態で互いに間隔を開けて並置する。本実施形態においては、２０個の袋保持缶２を４行×５列に並置しているが、袋保持缶２の数は作製する土のう１の数に応じて適宜変更可能である。
【００２０】
次いで、土のう袋３をその投入口３ａを上に向けた状態で袋保持缶２内にそれぞれ挿入し、土のう袋３における投入口３ａの周囲の開口端部３ｂを袋保持缶２における開口部２ａの周囲の開口端部２ｂで外側下方へ折り返して係止させ、投入枠４を土のう袋３を介して複数の袋保持缶２上に単位板４ｂ，４ｃの面方向が水平方向となりかつ投入孔４ａが袋保持缶２の開口部２ａの上方にそれぞれ位置するように載置する。
【００２１】
ここで、図４及び図５に示すように、袋保持缶２内に底上げ材８を収容しておけば、中詰め材５の充填量を適当な量に調整できるという利点がある。このような底上げ材８としては、中詰め材５の他、適宜の厚さ又は高さを有するスペーサ等が挙げられる。
【００２２】
そして、バックホウ等により投入孔４ａを通して中詰め材５を土のう袋３内にそれぞれ投入・充填する。投入枠４上に残った中詰め材５は、平スコップやＴ字形の均し具（いわゆるトンボ）等で平坦に均すことにより投入孔４ａを通して土のう袋３内に落下させることができる。
【００２３】
その後、投入枠４を除去し、図６のように土のう袋３の投入口３ａをそれぞれ閉じれば、複数の土のう１を一度に作製することができる。ここで、土のう袋３の開口端部３ｂの下方に周方向に延びる容積規定ライン９を設けておけば、中詰め材５の充填のし過ぎを防止できるという利点がある。作製された土のう１に対しては、吊り上げに備え、開口端部３ｂをねじった状態で口紐６を容積規定ライン９の周囲に巻き付けて少なくとも１回（好ましくは２回程）結んでおくことができる。
【００２４】
土のう１を運搬するには、図１０〜図１２に示すように、例えば、水平にかつ互いに間隔を開けて平行に配置された横断面がＬ字状の複数の縦材１０と、これら複数の縦材１０の下に互いに間隔を開けて平行にかつ縦材１０の長手方向に対して直角となるようにしてボルト及びナット等により着脱自在に固定された横断面がＬ字状の複数の横材１１と、横材１１に互いに間隔を開けてそれぞれ吊設された螺旋状の複数のフック部１２とを備えた吊り金具１３等を使用することができる。縦材１０の適宜の位置には、吊り上げ用のワイヤ１４の４つに分岐した先端のフック１５が係止される逆Ｕ字状の係止部１６を複数個（例えば４つ）設けることができる。なお、フック部１２の形状は螺旋状に限定されるものではなく、その他に例えば、Ｊ字状、Ｕ字状、Ｖ字状、円弧状等であってもよい。また、係止部１６の数や形状等も特に限定されるものではなく、適宜変更可能である。
【００２５】
土のう１の吊り上げに際しては、ワイヤ１４の先端のフック１５を係止部１６にそれぞれ係止し、ワイヤ１４の基端を接続したユニック車又はバックホウ等により吊り金具１３を土のう１の上空に吊り上げた状態でフック部１２に土のう１の口紐６をそれぞれ係止すればよい。この状態で土のう１を吊り上げれば、図１２に示すように、袋保持缶２から土のう１がそれぞれ上方に取り出されるので、土のう１を所望の位置まで移動させることができる。ここで、袋保持缶２は上方に向かって拡開しているので、土のう１を上方に取り出し易いという利点がある。
【００２６】
上記のような方法に使用される投入枠４や袋保持缶２は簡単な構成で比較的安価であるので、複数の土のう１の作製コストを低減化できるという利点がある。
【産業上の利用可能性】
【００２７】
以上のように、本発明に係る土のうの作製方法は、複数の土のうを一度に作製する場合に有用であり、特に、複数の土のうの作製コストを低減化し、使用部材の保管や運搬をコンパクトに行う場合に適している。
【図面の簡単な説明】
【００２８】
【図１】実施形態に係る土のうの作製方法において、投入枠を土のう袋を介して複数の袋保持缶上に載置した状態を示す平面図。
【図２】図１の正面図。
【図３】図１の側面図。
【図４】投入孔を通して中詰め材を土のう袋内にそれぞれ投入・充填する様子を示す要部拡大正面図（一部断面表示）。
【図５】土のう袋内に中詰め材を充填した状態を示す要部拡大正面図（一部断面表示）。
【図６】土のうの口紐を容積規定ラインの周囲に巻き付けて結ぶ様子を示す説明図。
【図７】袋保持缶を積み重ねる様子を示す断面図。
【図８】単位板を幅方向に並べる様子を示す平面図。
【図９】連結材上に複数の単位板をその幅方向に並べる様子を示す正面図。
【図１０】土のうの口紐を吊り金具のフック部にそれぞれ係止した状態を示す正面図。
【図１１】図１０の側面図。
【図１２】土のうを吊り上げる様子を示す正面図。
【符号の説明】
【００２９】
１  土のう
２  袋保持缶
２ａ  開口部
２ｂ  開口端部
３  土のう袋
３ａ  投入口
３ｂ  開口端部
４  投入枠
４ａ  投入孔
４ｂ，４ｃ  単位板
４ｄ  連結材
５  中詰め材
７  補強材
８  底上げ材
【図１】
2005133364.tif 000003
【図２】
2005133364.tif 000004
【図３】
2005133364.tif 000005
【図４】
2005133364.tif 000006
【図５】
2005133364.tif 000007
【図６】
2005133364.tif 000008
【図７】
2005133364.tif 000009
【図８】
2005133364.tif 000010
【図９】
2005133364.tif 000011
【図１０】
2005133364.tif 000012
【図１１】
2005133364.tif 000013
【図１２】
2005133364.tif 000014